(57)【要約】【課題】  軽くてかさ張らず運搬や現場での設置の取り扱いが容易で、地下水位が高い場合でも水の浮力により融雪槽が浮き上がることが無く、その製作に手数を要することなく安価に製作できる埋設型融雪槽の槽枠を提供する。【解決手段】  融雪槽本体10の底部槽11より上方は複数枚の垂直方向の鋼板を組合わせた槽枠12とし、複数枚の槽枠12の接続部は組合わせただけで離間しない内側屈曲部と外側屈曲部であり、槽枠12の内側屈曲部と外側屈曲部の間は水は通過するが土砂は通過できない僅かな隙間とした。【選択図】図１
2014234589.tif 000002
【特許請求の範囲】
【請求項１】
融雪槽本体10内に電気ヒーター１と排水ポンプ３と、融雪槽本体10の上面開口を塞ぐ槽蓋５とから成る埋設型融雪槽であって、融雪槽本体10の下部は電気ヒーター１が常時水没するように水を溜める底部槽11と、融雪槽本体10の底部槽11より上方は複数枚の垂直方向の鋼板を組合わせた槽枠12とし、槽枠12の上方には上面開口を有する上部枠13を設け、上部枠13の上面開口を塞ぎ開閉する槽蓋５と、底部槽11には底部槽11に溜まった水を電気ヒーター１が常時水没する程度に排水する排水ポンプ３と、複数枚の槽枠12の接続部20は組合わせただけで離間しない内側屈曲部21と外側屈曲部22であり、槽枠12の内側屈曲部21と外側屈曲部22の間は水は通過するが土砂は通過できない僅かな隙間とした埋設型融雪槽の槽枠。
【発明の詳細な説明】
【技術分野】
【０００１】
本発明は、積雪地における雪の処理のために、地面下に埋設される融雪槽の槽枠に関する。
【背景技術】
【０００２】
積雪地の融雪処理方法には、ロードヒーティングに代表されるように積もった雪をその場で融雪するものと、一箇所の槽内に雪を集めて投入して融雪するものなどがある。槽内に雪を投入して融雪するものとして、比較的小さな槽内に雪を投入してバーナーによる強力な加熱により短時間に融雪しようとする融雪機や、比較的大きな槽内に雪を投入して融雪機に比べて弱い加熱により長時間かけて融雪しようとする融雪槽がある。
【０００３】
この融雪槽では熱の逸散を防ぎ、雪の投入のし易さと、装置の設置場所が制限されるため地中に埋設されるのが一般的で、短時間で融雪しようとする融雪機に比べて装置の運転も静かとされている。融雪槽には、融雪水を地下に浸透させる無底の槽のものと、融雪水を排水ポンプで汲み上げて下水に排水する有底の槽のものがある。しかし、無底の槽の地下浸透型では、地下水位が高い場合に地下水が槽内に入り込むため排水ができず、沖積土のような遮水帯がある地域では融雪水が地下に浸透せず、砂礫土のような容易に地下に浸透する地域でのみ使用可能なもので、有底の槽と排水ポンプの組合わせのものが一般的である。
【０００４】
このような融雪槽としては、実用新案登録第３１２７６４０号公報に示されるように、地面下に埋設される上面開口有底の箱状のコンクリートからなる融雪槽本体と、融雪槽本体内に電気ヒーターと排水ポンプと、融雪槽本体の上面開口を塞ぐ槽蓋と、地面上にはタイマー及び電力量計や制御盤を設けたものは知られている。
【０００５】
この場合、融雪槽本体をコンクリート製としているのは、地下水位が高い場合に水の浮力により空の槽が浮き上がるのを、融雪槽本体を重くして防いでいるものである。しかし、融雪槽本体がコンクリート製の重量物のため、運搬や設置の取り扱いに難儀をきたしている。
【０００６】
そこで、特開２０００−１５４５１２号公報に示されるように、融雪槽本体を繊維強化合成樹脂により成形して軽くし、空の槽が浮き上がるのを、融雪槽本体を構成する胴部の外面は上部から下部に向けて拡開する傾斜面に形成してあり、埋め戻し土による上方からの圧力を受承することで防いでいる。
【先行技術文献】
【特許文献】
【０００７】
【特許文献１】実用新案登録第３１２７６４０号公報
【特許文献２】特開２０００−１５４５１２号公報
【発明の概要】
【発明が解決しようとする課題】
【０００８】
先に示した、特開２０００−１５４５１２号公報の融雪槽では、繊維強化合成樹脂により一体に成形した比較的軽いものではあるが、融雪槽本体は約２立方メートル以上の内容積を有する大きなものであり、繊維強化合成樹脂により一体に成形するには多くの手数を要し、安価に製作することはできない。
【０００９】
そこで本発明は、軽くてかさ張らず運搬や現場での設置の取り扱いが容易で、地下水位が高い場合でも水の浮力により融雪槽が浮き上がることが無く、その製作に手数を要することなく安価に製作できる埋設型融雪槽の槽枠を提供することを目的とする。
【課題を解決するための手段】
【００１０】
請求項１の発明の埋設型融雪槽の槽枠は、融雪槽本体10内に電気ヒーター１と排水ポンプ３と、融雪槽本体10の上面開口を塞ぐ槽蓋５とから成る埋設型融雪槽であって、融雪槽本体10の下部は電気ヒーター１が常時水没するように水を溜める底部槽11と、融雪槽本体10の底部槽11より上方は複数枚の垂直方向の鋼板を組合わせた槽枠12とし、槽枠12の上方には上面開口を有する上部枠13を設け、上部枠13の上面開口を塞ぎ開閉する槽蓋５と、底部槽11には底部槽11に溜まった水を電気ヒーター１が常時水没する程度に排水する排水ポンプ３と、複数枚の槽枠12の接続部20は組合わせただけで離間しない内側屈曲部21と外側屈曲部22であり、槽枠12の内側屈曲部21と外側屈曲部22の間は水は通過するが土砂は通過できない僅かな隙間としたものである。
【発明の効果】
【００１１】
請求項１の発明によれば、融雪槽本体10の底部槽11より上方は複数枚の垂直方向の鋼板を組合わせた槽枠12とし、複数枚の槽枠12の接続部20は組合わせただけで離間しない内側屈曲部21と外側屈曲部22としたから、一枚一枚の槽枠12は小さいので軽くてかさ張らず、設置現場では槽枠12の接続部20を組合わせるだけで組立てられ、運搬や現場での設置の取り扱いが容易となる。
【００１２】
また、融雪槽本体10の底部槽11より上方は複数枚の垂直方向の鋼板を組合わせた槽枠12とし、槽枠12の内側屈曲部21と外側屈曲部22の間は水は通過するが土砂は通過できない僅かな隙間としたから、地下水位が底部槽11より高いと槽枠12の内側屈曲部21と外側屈曲部22の間から水が融雪槽本体10内に入り、融雪槽本体10内の水位と地下水位がほぼ同じと成るため、地下水位が高い場合でも水の浮力により融雪槽が浮き上がることが無い。
【００１３】
また、融雪槽本体10の底部槽11より上方は複数枚の垂直方向の鋼板を組合わせた槽枠12とし、複数枚の槽枠12の接続部20は組合わせただけで離間しない内側屈曲部21と外側屈曲部22としたから、槽枠12は一枚の鋼板の両端部を折り曲げ加工することで製作でき、その製作に手数を要することなく安価に製作できる。
【図面の簡単な説明】
【００１４】
【図１】図１は埋設型融雪槽の槽枠の実施例１を示す縦断面図である。
【図２】図２は図１の一部を切り欠いた平面図である。
【図３】図３は図２の槽枠のみを示す図である。
【図４】図４は図３の部分拡大図である。
【図５】図５は図４のコーナー部槽枠を示す図である。
【図６】図６は図４の直線部槽枠を示す図である。
【図７】図７は図４の要部を示す部分拡大図である。
【発明を実施するための形態】
【００１５】
軽くてかさ張らず運搬や現場での設置の取り扱いが容易で、地下水位が高い場合でも水の浮力により融雪槽が浮き上がることが無く、その製作に手数を要することなく安価に製作できる埋設型融雪槽の槽枠を提供する目的を、融雪槽本体10内に電気ヒーター１と排水ポンプ３と、融雪槽本体10の上面開口を塞ぐ槽蓋５とから成る埋設型融雪槽であって、融雪槽本体10の下部は電気ヒーター１が常時水没するように水を溜める底部槽11と、融雪槽本体10の底部槽11より上方は複数枚の垂直方向の鋼板を組合わせた槽枠12とし、槽枠12の上方には上面開口を有する上部枠13を設け、上部枠13の上面開口を塞ぎ開閉する槽蓋５と、底部槽11には底部槽11に溜まった水を電気ヒーター１が常時水没する程度に排水する排水ポンプ３と、複数枚の槽枠12の接続部20は組合わせただけで離間しない内側屈曲部21と外側屈曲部22であり、槽枠12の内側屈曲部21と外側屈曲部22の間は水は通過するが土砂は通過できない僅かな隙間としたことで実現した。
【実施例１】
【００１６】
図１から図７は、本発明の実施例１に係る埋設型融雪槽の槽枠12である。
【００１７】
図１には、埋設型融雪槽の融雪槽本体10を示している。融雪槽本体10内に電気ヒーター１と排水ポンプ３と、融雪槽本体10の上面開口を塞ぐ槽蓋５と、地面Ｅ上にはタイマー及び電力量計や制御盤を設ける。
【００１８】
融雪槽本体10の下部には、電気ヒーター１が常時水没するように融雪水Ｗを溜める底部槽11を設ける。
【００１９】
底部槽11は、平面視が略正方形の有底で上面開放の槽であり、水が漏れないように鋼板を溶接して組合わせている。
【００２０】
実施例では、底部槽11の一辺が約１．２メートル、深さが約０．３４メートル、電気ヒーター１が常時水没する水の深さが約０．１８メートルとした。
【００２１】
融雪槽本体10の底部槽11より上方には、複数枚の垂直方向の鋼板を組合わせた槽枠12を設ける。
【００２２】
図３に示すように、複数枚の槽枠12には直線部槽枠12aとコーナー部槽枠12bを設け、直線部槽枠12aとコーナー部槽枠12bがその平面視が略正方形となるように各々の両端部の垂直方向に長い接続部20で接続される。
【００２３】
コーナー部槽枠12bは直線部槽枠12aを直角に接続するもので、その平面視が略Ωの字形状である。また、直線部槽枠12aは他の直線部槽枠12aと直線状に接続するもので、その平面視が略コの字形状である。接続された槽枠12の内方間隔は底部槽11の外方間隔より僅かに大とし、底部槽11の上端部に槽枠12の下端部がボルト止めされる。
【００２４】
実施例では、直線部槽枠12aとコーナー部槽枠12bの高さが約１．２２メートル、直線部槽枠12aの働きピッチが約０．２メートルとした。
【００２５】
槽枠12の直線部槽枠12aとコーナー部槽枠12bの接続部20には、接続部20を組合わせただけで離間しない内側屈曲部21と外側屈曲部22を設ける。
【００２６】
内側屈曲部21は、直線部槽枠12a又はコーナー部槽枠12bの一端を外方に直角に曲げられ、その先端部からＪの字状に一枚の板を曲げて形成したものであり、略Ｔの字状に形成される。
【００２７】
外側屈曲部22は、直線部槽枠12a又はコーナー部槽枠12bのもう一端を外方に直角に曲げられ、その先端部からＣの字状に一枚の板を曲げて形成し、内側屈曲部21の略Ｔの字状先端部を外側からほぼ包み込む形状に形成される。
【００２８】
槽枠12の直線部槽枠12aとコーナー部槽枠12bの接続部20は、外側屈曲部22内に内側屈曲部21を上方から通して組合わせられる。組合わせられた内側屈曲部21と外側屈曲部22の接続部20は、水平方向には互いに移動できなくなり離間しない。
【００２９】
図７に示すように、槽枠12の直線部槽枠12aおよびコーナー部槽枠12bの内側屈曲部21と外側屈曲部22の間は、水は通過するが土砂は通過できない屈曲した僅かな隙間とする。
【００３０】
実施例では、内側屈曲部21と外側屈曲部22の隙間は設計値で０．５ミリメートルとしたが、実際には部分的にほぼ密着して土砂は通過できないようにしている。
【００３１】
槽枠12の上方には、上面開口を有する上部枠13を設ける。上部枠13は平面視が略正方形で、その中心に矩形の穴である上面開口を設ける。上部枠13の下面に下方に突出した取付部を設け、その取付部が槽枠12の上端部の内方に位置し、槽枠12の上端部に上部枠13の取付部がボルト止めされる。
【００３２】
上部枠13の上面開口を塞ぎ開閉する槽蓋５を設け、開閉蓋５の下方に上部枠13から落下防止枠６を設ける。
【００３３】
底部槽11の中央低部には電気ヒーター１を設ける。電気ヒーター１は、底部槽11内の融雪水Ｗを暖め、融雪槽本体10に投入された雪を融雪し、融雪された雪を融雪水Ｗとする。
【００３４】
電気ヒーター１の上には底部槽11の底面からヒーターカバー２を設け、ヒーターカバー２は融雪槽本体10に投入された雪から電気ヒーター１を保護する。
【００３５】
底部槽11の一隅上に脚に支持された排水ポンプ３を固定し、排水ポンプ３に排水管４を連結し、排水管４は公共排水桝に連結される。
【００３６】
融雪槽の運転中には、排水ポンプ３が底部槽11に溜まった融雪水Ｗを電気ヒーター１が常時水没する程度に排水する。
【００３７】
融雪槽の運転が停止されると排水ポンプ３も停止し、地下水位が底部槽11より高いと槽枠12の内側屈曲部21と外側屈曲部22の間から水が融雪槽本体10内に入り、融雪槽本体10内の水位と地下水位がほぼ同じと成るため、地下水位が高い場合でも水の浮力により融雪槽が浮き上がることが無い。
【００３８】
また、融雪槽の運転中では、融雪槽本体10に雪が投入されその重みが加算され、底部槽11には最低でも電気ヒーター１が常時水没する程度に融雪水Ｗが溜められた重みで融雪槽の浮き上がりを防いでいる。
【００３９】
実施例では、底部槽11と槽枠12を鋼板製としたから、暖められた融雪水Ｗの熱が槽枠12にも伝わり槽枠12に付着した雪を融かして落下させる。
【００４０】
以上の実施例では、底部槽11と槽枠12が平面視で略正方形とした例を示したが、底部槽11と槽枠12が平面視で略円形としても良い。
【００４１】
また、槽枠12が垂直方向に長い接続部20で接続される例を示したが、槽枠12が水平方向に長い接続部で接続されるようにしても良い。
【００４２】
また、内側屈曲部21が略Ｔの字状に形成され外側屈曲部22がそれを外側からほぼ包み込む形状に形成した例を示したが、内側屈曲部が略Ｌの字状に形成されるなど、種々の形状に形成しても離間しない形状であれば良い。
【符号の説明】
【００４３】
１  電気ヒーター
３  排水ポンプ
５  槽蓋
10  融雪槽本体
11  底部槽
12  槽枠
13  上部枠
20  接続部
21  内側屈曲部
22  外側屈曲部
【図１】
2014234589.tif 000003
【図２】
2014234589.tif 000004
【図３】
2014234589.tif 000005
【図４】
2014234589.tif 000006
【図５】
2014234589.tif 000007
【図６】
2014234589.tif 000008
【図７】
2014234589.tif 000009